(57)【要約】【課題】データ入力装置に熱源用電源を用いることなく、データ入力装置の操作体の表面温度を適正に制御することができる情報処理システムを提供することを目的とする。【解決手段】データ入力装置１は、操作体の表面の温度を変化させる表面温度制御熱源部３と、操作体の表面の温度を検出して検出温度を示す検出温度信号を出力する表面温度センサー４とを有し、情報処理装置２は、表面温度制御熱源部３に電力を供給するデータ入力装置熱源用電源８と、入力した検出温度信号の示す検出温度と設定温度とを比較した結果を示す温度制御信号により表面温度制御熱源部３への電力供給制御を行って操作体の表面の温度を設定温度に制御するデータ入力装置表面温度制御部７とを有する。これにより、データ入力装置１に熱源用電源を用いることなく、データ入力装置１の操作体の表面温度を適正に制御することができるという効果を有する。【選択図】図１
2005301475.tif 000002
【特許請求の範囲】
【請求項１】
操作体の表面に触れて前記操作体を操作することによりデータを入力するデータ入力装置と、前記データ入力装置から入力されたデータを処理する情報処理装置とを備えた情報処理システムであって、
前記データ入力装置は、前記操作体の表面の温度を変化させる表面温度制御熱源部と、前記操作体の表面の温度を検出して検出温度を示す検出温度信号を出力する表面温度センサーとを有し、
前記情報処理装置は、前記表面温度制御熱源部に電力を供給するデータ入力装置熱源用電源と、入力した前記検出温度信号の示す検出温度と設定温度とを比較した結果を示す温度制御信号により前記表面温度制御熱源部への電力供給制御を行って前記操作体の表面の温度を前記設定温度に制御するデータ入力装置表面温度制御部とを有することを特徴とする情報処理システム。
【請求項２】
前記設定温度を前記情報処理装置に入力することが可能な表示装置を備えたことを特徴とする請求項１に記載の情報処理システム。
【請求項３】
前記表面温度制御熱源部はハロゲンヒータであることを特徴とする請求項１または２に記載の情報処理システム。
【請求項４】
前記表面温度制御熱源部は電子冷却素子であることを特徴とする請求項１または２に記載の情報処理システム。
【発明の詳細な説明】
【技術分野】
【０００１】
本発明は、マウスなどのデータ入力装置を用いてパーソナルコンピュータ（ＰＣ）などの情報処理装置へのデータ入力を行って情報処理を行う情報処理システムに関するものである。
【背景技術】
【０００２】
従来より、（特許文献１）に記載のように、情報処理システムを構成するデータ入力装置としての温熱式マウスとして、マウスそのものを暖かくした温熱式マウスがあり、この温熱式マウスを提供することによりコンピュータ操作時に利用するマウスを操作する人間の体温低下（直接的には手の温度の低下）を防止することができる。
【０００３】
この温熱式マウスは、マウス本体に水平方向移動認識装置、垂直方向移動認識装置、トラックボールなどが組み入れられ、その表面は表層材で覆われ、左ボタン、右ボタンが設けられており、このようなコンピュータの入力装置としてのマウスにおいて、表層材の内側に温熱体として電熱式の温熱体を設けることにより、コンピュータ操作時に利用するマウスを操作する人間の体温低下を防止することができるようになっている。
【特許文献１】特開２０００−３４７８０２号公報
【発明の開示】
【発明が解決しようとする課題】
【０００４】
しかしながら、（特許文献１）の温熱式マウスでは電熱式温熱体の電力の供給についての具体的な記載がなく、温熱式マウス内に電力供給装置（データ入力装置熱源用電源）を持つ場合、電力容量的に実現がむずかしく、また、温熱式マウスの温度制御を行う機能を有していないため、温熱式マウスを適正な温度に維持することが困難であり、コンピュータ利用者が快適な温度の温熱式マウスを利用することができないという問題点を有していた。
【０００５】
この情報処理システムでは、データ入力装置に熱源用電源を用いることなく、データ入力装置の操作体の表面温度を適正に制御することが要求されている。
【０００６】
本発明は、この要求を満たすため、データ入力装置に熱源用電源を用いることなく、データ入力装置の操作体の表面温度を適正に制御することができる情報処理システムを提供することを目的とする。
【課題を解決するための手段】
【０００７】
上記課題を解決するために本発明の情報処理システムは、操作体の表面に触れて操作体を操作することによりデータを入力するデータ入力装置と、データ入力装置から入力されたデータを処理する情報処理装置とを備えた情報処理システムであって、データ入力装置は、操作体の表面の温度を変化させる表面温度制御熱源部と、操作体の表面の温度を検出して検出温度を示す検出温度信号を出力する表面温度センサーとを有し、情報処理装置は、表面温度制御熱源部に電力を供給するデータ入力装置熱源用電源と、表面温度センサーからの検出温度信号に基づいて表面温度制御熱源部への電力供給制御を行って操作体の表面の温度を所定の温度に制御するデータ入力装置表面温度制御部とを有する構成を備えている。
【０００８】
これにより、データ入力装置に熱源用電源を用いることなく、データ入力装置の操作体の表面温度を適正に制御することができる情報処理システムが得られる。
【発明の効果】
【０００９】
本発明の情報処理システムは、操作体の表面に触れて操作体を操作することによりデータを入力するデータ入力装置と、データ入力装置から入力されたデータを処理する情報処理装置とを備えた情報処理システムであって、データ入力装置は、操作体の表面の温度を変化させる表面温度制御熱源部と、操作体の表面の温度を検出して検出温度を示す検出温度信号を出力する表面温度センサーとを有し、情報処理装置は、表面温度制御熱源部に電力を供給するデータ入力装置熱源用電源と、入力した検出温度信号の示す検出温度と設定温度とを比較した結果を示す温度制御信号により表面温度制御熱源部への電力供給制御を行って操作体の表面の温度を設定温度に制御するデータ入力装置表面温度制御部とを有することにより、データ入力装置表面温度制御部は、表面温度センサーからの検出温度信号の示す検出温度と設定温度とを比較し、検出温度と設定温度との比較結果を示す温度制御信号に基いてデータ入力装置熱源用電源から表面温度制御熱源部への電力供給を制御することにより表面温度制御熱源部の発生する温熱を制御し、検出温度が設定温度となるように制御することができるので、データ入力装置に熱源用電源を用いることなく、データ入力装置の操作体の表面温度を適正に制御することができ、また、データ入力装置表面温度制御部とデータ入力装置熱源用電源とを情報処理装置に設けたことにより、これらをデータ入力装置に備える必要がなく、データ入力装置を小型化することができるという有利な効果が得られる。
【００１０】
さらに、設定温度を情報処理装置に入力することが可能な表示装置を備えることにより、表示装置、例えばデータ入力装置が繋がる情報処理装置に接続されたグラフィックユーザーインターフェース上でデータ入力装置の操作体の表面温度の調節を操作者が操作することができ、操作者は容易に設定温度を変更することができるという有利な効果が得られる。
【００１１】
さらに、表面温度制御熱源部はハロゲンヒータであることにより、操作者の操作部位（通常は手）を容易に暖めることができるので、操作者は快適で正確な操作を行うことができるという有利な効果が得られる。
【００１２】
さらに、表面温度制御熱源部は電子冷却素子であることにより、操作者の操作部位を容易に冷やすことができるので、操作者は快適で正確な操作を行うことができるという有利な効果が得られる。
【発明を実施するための最良の形態】
【００１３】
本発明は、データ入力装置に熱源用電源を用いることなく、データ入力装置の操作体の表面温度を適正に制御するという目的を、データ入力装置の表面温度制御熱源部に対して情報処理装置のデータ入力装置熱源用電源から電力を供給し、また表面温度制御熱源部の温度を制御するための温度制御信号を情報処理装置のデータ入力装置表面温度制御部からデータ入力装置に送出して表面温度制御熱源部の温度を適正に維持することにより実現した。
【００１４】
上記課題を解決するためになされた請求項１の発明は、操作体の表面に触れて操作体を操作することによりデータを入力するデータ入力装置と、データ入力装置から入力されたデータを処理する情報処理装置とを備えた情報処理システムであって、データ入力装置は、操作体の表面の温度を変化させる表面温度制御熱源部と、操作体の表面の温度を検出して検出温度を示す検出温度信号を出力する表面温度センサーとを有し、情報処理装置は、表面温度制御熱源部に電力を供給するデータ入力装置熱源用電源と、入力した検出温度信号の示す検出温度と設定温度とを比較した結果を示す温度制御信号により表面温度制御熱源部への電力供給制御を行って操作体の表面の温度を設定温度に制御するデータ入力装置
表面温度制御部とを有することとしたものであり、データ入力装置表面温度制御部は、表面温度センサーからの検出温度信号の示す検出温度と設定温度とを比較し、検出温度と設定温度との比較結果を示す温度制御信号に基いてデータ入力装置熱源用電源から表面温度制御熱源部への電力供給を制御することにより表面温度制御熱源部の発生する温熱を制御し、検出温度が設定温度となるように制御することができるので、データ入力装置に熱源用電源を用いることなく、データ入力装置の操作体の表面温度を適正に制御することができ、また、データ入力装置表面温度制御部とデータ入力装置熱源用電源とを情報処理装置に設けたことにより、これらをデータ入力装置に備える必要がなく、データ入力装置を小型化することができるという作用・効果を有する。
【００１５】
上記課題を解決するためになされた請求項２の発明は、設定温度を情報処理装置に入力することが可能な表示装置を備えることとしたものであり、表示装置、例えばデータ入力装置が繋がる情報処理装置に接続されたグラフィックユーザーインターフェース上でデータ入力装置の操作体の表面温度の調節を操作者が操作することができ、操作者は容易に設定温度を変更することができるという作用・効果を有する。
【００１６】
上記課題を解決するためになされた請求項３の発明は、表面温度制御熱源部はハロゲンヒータであることとしたものであり、操作者の操作部位（通常は手）を容易に暖めることができるので、操作者は快適で正確な操作を行うことができるという作用・効果を有する。
【００１７】
上記課題を解決するためになされた請求項４の発明は、表面温度制御熱源部は電子冷却素子であることとしたものであり、操作者の操作部位を容易に冷やすことができるので、操作者は快適で正確な操作を行うことができるという作用・効果を有する。
【００１８】
（実施の形態１）
図１は本発明の実施の形態１による情報処理システムを示すブロック図である。図１の情報処理システムは、データ入力装置１と情報処理装置２から成る。また、図２は図１の情報処理システムの変形例を示すブロック図である。図２の情報処理システムは、データ入力装置１においてデータ入力装置側データ変換部を有し、情報処理装置２において情報処理装置側データ変換部を有する。図３は図２の情報処理システムの変形例を示すブロック図である。図３においてはグラフィックユーザーインターフェース（ＧＵＩ）１１が情報処理装置２の情報処理部６に接続されている。図４は図３の情報処理システムを構成するデータ入力装置をＵＳＢマウスとした場合を示す構成図である。
【００１９】
図１において、情報処理システムの基本構成は情報入力者が直接接するデータ入力装置（ユーザーインターフェース）１と、入力した情報を処理する情報処理装置２とから構成される。データ入力装置１は、手等の人体の一部が触れる操作体を有するデータ入力装置１の表面の温度を制御するための表面温度制御熱源部３と、データ入力装置１の操作体の表面温度を測定するための表面温度センサー４と、データ入力装置１の情報を入力する情報入力部５とを有する。情報処理装置２は、データ入力装置１より入力された情報を処理するための情報処理部６と、データ入力装置１内の表面温度制御熱源部３へ電力を供給するための電源となるデータ入力装置熱源用電源８とを有し、また情報処理部６は、データ入力装置１の表面温度センサー４によって検出された表面温度（検出温度）の値を解析し、あらかじめ設定された温度となるよう表面温度制御熱源部３の出力を制御するデータ入力装置表面温度制御部７を有する。データ入力装置１と情報処理装置２とは、図１に示すように、電線にて接続されている。
【００２０】
次に、このように構成された情報処理システムについて、その動作を説明する。
【００２１】
図１において、情報処理装置２内のデータ入力装置表面温度制御部７は、あらかじめ情報入力者によりデータ入力装置１の情報入力部５を通じて入力されたデータ入力装置表面温度設定値（設定温度値）に従い、表面温度制御熱源部３へ出力される温度制御信号を制御する。すなわち温度制御信号の示す温度差（検出温度と設定温度との温度差）を検出温度および設定温度に応じて変化させる。表面温度制御熱源部３は、温度制御信号に従い、データ入力装置熱源用電源８からの電源を用いて、データ入力装置１の表面（すなわち操作対象となる操作体の表面）の温度を変化させる。この温度制御の動作を本来の入力装置機能である情報入力部５から情報処理部６へのデータ入力装置の機能と平行して行う。これにより情報入力者は、入力作業中に直接触れるデータ入力装置１の表面の温度を設定することができ、入力者の操作部位の体温（操作体に触れる人体の温度）を快適かつ正確に業務を行える温度に保つことができる。また、データ入力装置１側にデータ入力装置熱源用電源８とデータ入力装置表面温度制御部７とを有しないことにより、データ入力装置１内に電源を持つことなく、データ入力装置１の簡素化を図ることができる。
【００２２】
次に、データ入力装置１と情報処理装置２との接続の形態について説明する。図１に示すように、データ入力装置熱源用電源８と表面温度制御熱源部３、情報処理部６と情報入力部５、データ入力装置表面温度制御部７と表面温度制御熱源部３、データ入力装置表面温度制御部７と表面温度センサー４のようにそれぞれの機能を接続するシステムとすることもでき、また、図２に示すように、データ入力装置１と情報処理装置２にそれぞれデータ入力装置側データ変換部１０と情報処理装置側データ変換部９とを有し、情報処理部６とデータ入力装置表面温度制御部７のデータを変換し、表面温度制御熱源部３と表面温度センサー４と情報入力部５のデータを変換し伝送するシステムとすることもできる。但し、データ入力装置熱源用電源８と表面温度制御熱源部３とを結ぶ電力線のみは別電線として構成する。
【００２３】
図３の情報処理システムは、図２の構成に表示装置としてのグラフィックユーザーインターフェース１１を追加した構成であるが、情報処理装置２がグラフィックユーザーインターフェース１１に接続されている場合、グラフィックユーザーインターフェース１１とデータ入力装置１を利用して表面温度制御熱源部３の温度を設定することができる。これにより、情報入力者は簡単にデータ入力装置表面の温度を変更することができる。
【００２４】
図４に、ＵＳＢマウスをデータ入力装置とした場合の構成を示す。
【００２５】
図４において、情報処理装置２、表面温度制御熱源部３、表面温度センサー４、情報処理部６、データ入力装置表面温度制御部７、データ入力装置熱源用電源８、情報処理装置側データ変換部９、データ入力装置側データ変換部（ＵＳＢコントローラチップ）１０、グラフィックユーザーインターフェース１１は図３と同様のものであり、同一符号を付し、説明は省略する。１Ａはデータ入力装置としてのＵＳＢマウス（操作体）、５ａは情報入力部としてのＵＳＢマウス１Ａの左ボタン、５ｂは情報入力部としてのＵＳＢマウス１ＡのＸ−Ｙ移動データ入力部である。このように図４では、情報処理装置２であるコンピュータに対するデータ入力装置１ＡをＵＳＢマウスとする。ＵＳＢマウス１Ａの左ボタンを情報入力部５ａとし、情報入力者が左ボタンを押すために触れる表面近くに表面温度制御熱源部３を配置し、その周辺に表面温度センサー４を配置する。情報入力者は、コンピュータのグラフィックユーザーインターフェース１１を目視しながら、データ入力装置１Ａを通じて情報を入力する。情報入力者は、グラフィックユーザーインターフェース１１に表示されるデータ入力装置表面温度制御表示を操作することにより情報処理部６内のソフトウェアで構成されたデータ入力装置表面温度制御部７の設定温度を変更することができる。データ入力装置表面温度制御部７は、ＵＳＢコントローラチップ（データ入力装置側データ変換部）１０を通じてデータ入力装置１Ａ内の表面温度センサー４を監視し、設定された温度となるように表面温度制御熱源部３への温度制御信号の出力をＵＳＢコント
ローラチップ１０を通じて操作する。データ入力装置熱源用電源８の電力は、ＵＳＢバスパワーとして表面温度制御熱源部３へ供給される。表面温度制御熱源部３、表面温度センサー４は、データ入力装置１Ａの左ボタン５ａに限らず、データ入力装置１Ａ表面のいずれの場所にも複数配置可能である。なお、図４の説明ではデータ入力装置表面温度制御部７はソフトウェアで構成されるとしたが、ハードウェアで構成されるようにしてもよく、同様の作用・効果を奏する。
【００２６】
以上のように本実施の形態によれば、データ入力装置１は、操作体の表面の温度を変化させる表面温度制御熱源部３と、操作体の表面の温度を検出して検出温度を示す検出温度信号を出力する表面温度センサー４とを有し、情報処理装置２は、表面温度制御熱源部３に電力を供給するデータ入力装置熱源用電源８と、入力した検出温度信号の示す検出温度と設定温度とを比較した結果を示す温度制御信号により表面温度制御熱源部３への電力供給制御を行って操作体の表面の温度を設定温度に制御するデータ入力装置表面温度制御部７とを有することにより、データ入力装置表面温度制御部７は、表面温度センサー４からの検出温度信号の示す検出温度と設定温度とを比較し、検出温度と設定温度との比較結果を示す温度制御信号に基いてデータ入力装置熱源用電源８から表面温度制御熱源部３への電力供給を制御することにより表面温度制御熱源部３の発生する温熱を制御し、検出温度が設定温度となるように制御することができるので、データ入力装置１に熱源用電源を用いることなく、データ入力装置１の操作体の表面温度を適正に制御することができ、また、データ入力装置表面温度制御部７とデータ入力装置熱源用電源８とを情報処理装置２に設けたことにより、これらをデータ入力装置１に備える必要がなく、データ入力装置１を小型化することができる。
【００２７】
さらに、設定温度を情報処理装置２に入力することが可能な表示装置を備えたことにより、表示装置、例えばデータ入力装置１が繋がる情報処理装置２が接続されたグラフィックユーザーインターフェース１１上でデータ入力装置１の操作体の表面温度の調節を操作者が操作することができ、操作者は容易に設定温度を変更することができる。
【００２８】
さらに、表面温度制御熱源部３はハロゲンヒータであることにより、操作者の操作部位（通常は手）を容易に暖めることができるので、操作者は快適で正確な操作を行うことができる。
【００２９】
さらに、表面温度制御熱源部３は電子冷却素子であることにより、操作者の操作部位を容易に冷やすことができるので、操作者は快適で正確な操作を行うことができる。
【産業上の利用可能性】
【００３０】
本発明は、マウスなどのデータ入力装置を用いてパーソナルコンピュータ（ＰＣ）などの情報処理装置へのデータ入力を行って情報処理を行う情報処理システムに関し、データ入力装置に熱源用電源を用いることなく、データ入力装置の操作体の表面温度を適正に制御することができる。
【図面の簡単な説明】
【００３１】
【図１】本発明の実施の形態１による情報処理システムを示すブロック図
【図２】図１の情報処理システムの変形例を示すブロック図
【図３】図２の情報処理システムの変形例を示すブロック図
【図４】図３の情報処理システムを構成するデータ入力装置をＵＳＢマウスとした場合を示す構成図
【符号の説明】
【００３２】
１    データ入力装置（ユーザーインターフェース）
１Ａ    データ入力装置（ＵＳＢマウス）
２    情報処理装置
３    表面温度制御熱源部
４    表面温度センサー
５    情報入力部
５ａ    情報入力部（ＵＳＢマウス左ボタン）
５ｂ    情報入力部（Ｘ−Ｙ移動データ入力部）
６    情報処理部
７    データ入力装置表面温度制御部
８    データ入力装置熱源用電源
９    情報処理装置側データ変換部
１０    データ入力装置側データ変換部（ＵＳＢコントローラチップ）
１１    グラフィックユーザーインターフェース（ＧＵＩ）
【図１】
2005301475.tif 000003
【図２】
2005301475.tif 000004
【図３】
2005301475.tif 000005
【図４】
2005301475.tif 000006